(57)【要約】実施形態は、送信制御情報を決定するための装置（１０；２０）、方法及びコンピュータプログラムに関する。装置（１０）は、モバイル通信システム（３００）の基地局送受信機（１００）のベースバンドユニット（１１０）に適し、基地局送受信機（１００）は１以上の無線フロントホールリンクを用いてベースバンドユニット（１１０）と無線通信するように構成された１以上の無線ユニット（１２０）をさらに備える。装置（１０）は、１以上の無線フロントホールリンクのダウンリンクコンポーネントを１以上の無線ユニット（１２０）に送信するように構成された少なくとも１つの出力部（１２）を備える。装置（１０）は、１以上の無線フロントホールリンクのアップリンクコンポーネントを１以上の無線ユニット（１２０）から受信するように構成された少なくとも１つの入力部（１４）をさらに備える。装置（１０）は、少なくとも１つの出力部（１２）及び少なくとも１つの入力部（１４）を制御するように構成された制御モジュール（１６）をさらに備える。制御モジュール（１６）はさらに、基準信号を１以上の無線ユニット（１２０）に少なくとも１つの出力部（１２）を介して送信するように構成される。制御モジュール（１６）はさらに、基準信号のループバックバージョンを１以上の無線ユニット（１２０）から少なくとも１つの入力部（１４）を介して受信するように構成される。制御モジュール（１６）はさらに、基準信号のループバックバージョンに基づいて決定された基準信号の減衰量に基づいて送信制御情報を決定するように構成される。送信制御情報は、１以上の無線フロントホールリンクにおける送信のために１以上の無線ユニット（１２０）によって使用される無線ユニット単位の送信電力に関する情報を備える。制御モジュール（１６）はさらに、送信制御情報を１以上の無線ユニット（１２０）に少なくとも１つの出力部（１２）を介して供給するように構成される。【選択図】  図１
2019501556.tif 000002
【特許請求の範囲】
【請求項１】
モバイル通信システム（３００）の基地局送受信機（１００）のベースバンドユニット（１１０）のための装置（１０）であって、前記基地局送受信機（１００）が、１以上の無線フロントホールリンクを用いて前記ベースバンドユニット（１１０）と無線で通信するように構成された１以上の無線ユニット（１２０）をさらに備え、前記装置（１０）が、
前記１以上の無線フロントホールリンクのダウンリンクコンポーネントを前記１以上の無線ユニット（１２０）に送信するように構成された少なくとも１つの出力部（１２）、
前記１以上の無線フロントホールリンクのアップリンクコンポーネントを前記１以上の無線ユニット（１２０）から受信するように構成された少なくとも１つの入力部（１４）、及び
制御モジュール（１６）であって、
前記少なくとも１つの出力部（１２）及び前記少なくとも１つの入力部（１４）を制御し、
基準信号を前記１以上の無線ユニット（１２０）に前記少なくとも１つの出力部（１２）を介して送信し、
前記基準信号のループバックバージョンを前記１以上の無線ユニット（１２０）から前記少なくとも１つの入力部（１４）を介して受信し、
前記基準信号の前記ループバックバージョンに基づいて決定された前記基準信号の減衰量を用いて、前記１以上の無線フロントホールリンクにおける送信のために前記１以上の無線ユニット（１２０）によって使用される無線ユニット単位の送信電力に関する情報を決定し、
前記無線ユニット単位の送信電力に関する前記情報を備える送信制御情報を決定し、
前記送信制御情報を前記１以上の無線ユニット（１２０）に前記少なくとも１つの出力部（１２）を介して供給する
ように構成された制御モジュール（１６）
を備える装置（１０）。
【請求項２】
前記制御モジュール（１６）が、推定干渉及び推定経路損失に基づいて前記無線ユニット単位の送信電力を決定するように構成され、前記制御モジュール（１６）が、前記基準信号及び前記基準信号の前記ループバックバージョンに基づいて前記経路損失を推定するように構成された、請求項１に記載の装置（１０）。
【請求項３】
前記制御モジュール（１６）が、最適化関数に基づいて前記無線ユニット単位の送信電力を決定するように構成され、前記制御モジュール（１６）が、前記アップリンクコンポーネントについての目標信号対干渉及びノイズ比ＳＩＮＲが、
【数１】
2019501556.tif 000049
に基づいて近似されるように前記無線ユニット単位の送信電力を決定するように構成され、ＳＩＮＲｔａｒｇｅｔ，ｕは前記アップリンクコンポーネントについての目標ＳＩＮＲであり、
【数２】
2019501556.tif 000050
は、前記１以上の無線ユニット（１２０）のうちの無線ユニットｉの前記無線ユニット単位の送信電力であり、
【数３】
2019501556.tif 000051
は、前記無線ユニットｉの前記アップリンクコンポーネントの推定経路損失であり、ＰＩＦ，ｚ，ＮＦは、前記アップリンクコンポーネントの干渉電力ＩＦ、熱ノイズｚ及び受信ノイズ指数ＮＦに基づく、請求項２に記載の装置（１０）。
【請求項４】
前記基準信号の前記ループバックバージョンが、前記１以上の無線ユニット（１２０）において受信された前記基準信号のアナログ変換値に対応し、
及び／又は
前記制御モジュール（１６）が、前記ダウンリンクコンポーネントの経路損失に基づいて及び前記基準信号の前記ループバックバージョンにおける前記アップリンクコンポーネントの経路損失に基づいて前記送信制御情報を決定するように構成された、請求項１に記載の装置（１０）。
【請求項５】
前記制御モジュール（１６）がさらに、前記基準信号及び前記基準信号の前記ループバックバージョンに基づいて前記１以上の無線フロントホールリンクの送信のために前記少なくとも１つの出力部（１２）によって使用される送信電力に関する情報を決定し、前記少なくとも１つの出力部（１２）において使用される送信電力に関する前記情報に基づいて前記少なくとも１つの出力部（１２）で１以上の無線フロントホールリンク信号の前記ダウンリンクコンポーネントの前記送信を適合させるように構成された、請求項１に記載の装置（１０）。
【請求項６】
前記制御モジュール（１６）が、最適化関数に基づいて前記１以上の無線フロントホールリンクにおける送信のための前記少なくとも１つの出力部（１２）によって使用される前記送信電力を決定するように構成され、前記制御モジュール（１６）が、前記ダウンリンクコンポーネントについての目標信号対干渉及びノイズ比ＳＩＮＲが、
【数４】
2019501556.tif 000052
に基づいて近似されるように前記少なくとも１つの出力部（１２）によって使用される前記送信電力を決定するように構成され、ＳＩＮＲｔａｒｇｅｔ，ｄは前記ダウンリンクコンポーネントについての目標ＳＩＮＲであり、
【数５】
2019501556.tif 000053
は、前記１以上の無線ユニット（１２０）のうちの無線ユニットｉへの送信のために前記少なくとも１つの出力部（１２）によって使用される前記送信電力であり、
【数６】
2019501556.tif 000054
は、前記無線ユニットｉへの送信についての前記ダウンリンクコンポーネントの推定経路損失であり、ＰＩＦ，ｚ，ＮＦは、前記ダウンリンクコンポーネントの干渉電力ＩＦ、熱ノイズｚ及び受信ノイズ指数ＮＦに基づくものであり、
及び／又は前記制御モジュール（１６）がさらに、前記１以上の無線フロントホールリンクにおける送信のために使用される複数のアンテナ要素のうちのアンテナ要素のサブセットに関する情報を決定するように構成され、前記１以上の無線フロントホールリンクにおける送信のために前記少なくとも１つの出力部（１２）によって使用される前記送信電力に関する前記情報が、前記アンテナ要素のサブセットに関する前記情報を備える、請求項５に記載の装置（１０）。
【請求項７】
前記制御モジュール（１６）がさらに、前記基準信号及び前記基準信号の前記ループバックバージョンに基づいて前記少なくとも１つの入力部（１４）において１以上の無線フロントホール信号の前記アップリンクコンポーネントの受信に適合するように構成された、請求項１に記載の装置（１０）。
【請求項８】
前記制御モジュール（１６）が、前記基準信号及び前記基準信号の前記ループバックバージョンに基づいてアップリンクチャネル推定行列及びダウンリンクチャネル推定行列を決定して前記送信制御情報を決定するように構成され、又は前記制御モジュール（１６）が、前記基準信号及び前記基準信号の前記ループバックバージョンに基づいて結合アップリンク／ダウンリンクチャネル推定行列を決定して前記送信制御情報を決定するように構成され、
及び／又は前記制御モジュール（１６）が、前記受信アップリンクコンポーネントの品質に関する情報を決定するように構成され、前記制御モジュール（１６）が、前記受信アップリンクコンポーネントの前記品質に関する前記情報に基づいて前記送信制御情報を調整するように構成された、請求項１に記載の装置（１０）。
【請求項９】
前記送信制御情報が、前記１以上の無線フロントホールリンクの送信のための電力閾値に関する情報を備え、
及び／又は前記制御モジュール（１６）がさらに、前記１以上の無線ユニット（１２０）のセルカバレッジ計画に基づいて前記送信制御情報を決定するように構成された、請求項１に記載の装置（１０）。
【請求項１０】
前記制御モジュール（１６）が、前記１以上の無線ユニット（１２０）で実行される前記１以上の無線フロントホールリンクのチャネル推定に関する情報を用いることなく前記送信制御情報を決定するように構成された、請求項１に記載の装置（１０）。
【請求項１１】
モバイル通信システム（３００）の基地局送受信機（１００）の無線ユニット（１２０ａ）のための装置（２０）であって、前記基地局送受信機（１００）が、無線フロントホールリンクを用いて前記無線ユニット（１２０ａ）と無線通信するベースバンドユニット（１１０）をさらに備え、前記装置（２０）が、
前記無線フロントホールリンクのダウンリンクコンポーネントを前記ベースバンドユニット（１１０）から受信するように構成された少なくとも１つの入力部（２２）、
前記無線フロントホールリンクのアップリンクコンポーネントを前記ベースバンドユニット（１１０）に送信するように構成された少なくとも１つの出力部（２４）、及び
制御モジュール（２６）であって、
前記少なくとも１つの入力部（２２）及び前記少なくとも１つの出力部（２４）を制御し、
基準信号を前記ベースバンドユニット（１１０）から前記少なくとも１つの入力部（２２）を介して受信し、
受信された前記基準信号のループバックバージョンを前記ベースバンドユニット（１１０）に前記少なくとも１つの出力部（２４）を介してループバックし、
前記無線フロントホールリンクにおける送信のための前記無線ユニット（１２０ａ）によって使用される無線ユニット単位の送信電力に関する情報を備える送信制御情報を前記ベースバンドユニット（１１０）から受信し、
前記送信制御情報に基づいて前記少なくとも１つの出力部（２４）を介した前記アップリンクコンポーネントの前記送信電力を適合させる
ように構成された制御モジュール（２６）
を備える装置（２０）。
【請求項１２】
前記制御モジュール（２６）が、前記受信された基準信号の前記ループバックバージョンを前記受信された基準信号をアナログ変換することによって決定するように構成され、
及び／又は前記ダウンリンクコンポーネントがダウンリンクキャリア周波数を使用し、前記アップリンクコンポーネントがアップリンクキャリア周波数を使用し、前記制御モジュール（２６）が、前記受信された基準信号を前記ダウンリンクキャリア周波数から前記アップリンクキャリア周波数にアナログ変換することによって前記受信された基準信号の前記ループバックバージョンを決定するように構成された、請求項１１に記載の装置（２０）。
【請求項１３】
モバイル通信システム（３００）の基地局送受信機（１００）のベースバンドユニット（１１０）のための方法であって、前記基地局送受信機（１００）が、１以上の無線フロントホールリンクを用いて前記ベースバンドユニット（１１０）と無線で通信するように構成された１以上の無線ユニット（１２０）をさらに備え、前記方法が、
基準信号を前記１以上の無線ユニット（１２０）に送信するステップ（３２）、
前記基準信号のループバックバージョンを前記１以上の無線ユニット（１２０）から受信するステップ（３４）、
前記基準信号の前記ループバックバージョンに基づいて決定された前記基準信号の減衰量を用いて、前記１以上の無線フロントホールリンクにおける送信のために前記１以上の無線ユニット（１２０）によって使用される無線ユニット単位の送信電力に関する情報を決定するステップ（３６）、
前記無線ユニット単位の送信電力に関する前記情報を備える送信制御情報を決定するステップ（３７）、及び
前記送信制御情報を前記１以上の無線ユニット（１２０）に供給するステップ（３８）
を備える方法。
【請求項１４】
モバイル通信システム（３００）の基地局送受信機（１００）の無線ユニット（１２０ａ）のための方法であって、前記基地局送受信機（１００）が、無線フロントホールリンクを用いて前記無線ユニット（１２０ａ）と無線通信するベースバンドユニット（１１０）をさらに備え、前記方法が、
基準信号を前記ベースバンドユニット（１１０）から受信するステップ（４２）、
受信された前記基準信号のループバックバージョンを前記ベースバンドユニット（１１０）にループバックするステップ（４４）、
前記無線フロントホールリンクにおける送信のための前記無線ユニット（１２０ａ）によって使用される無線ユニット単位の送信電力に関する情報を備える送信制御情報を前記ベースバンドユニット（１１０）から受信するステップ（４６）、及び
前記送信制御情報に基づいて前記無線フロントホールリンクにおける送信のための前記送信電力を適合させるステップ（４８）
備える方法。
【請求項１５】
そこに具現されたコンピュータ可読プログラムコードを有するコンピュータ可読媒体を備えるコンピュータプログラム製品であって、コンピュータ、プロセッサ又はプログラム可能ハードウェアコンポーネントに読み込まれると、前記コンピュータ可読プログラムコードが請求項１３及び１４の方法のいずれかを実行するように構成された、コンピュータプログラム製品。
【発明の詳細な説明】
【技術分野】
【０００１】
実施形態は、送信制御情報を決定する装置、方法及びコンピュータプログラムに関し、より具体的には、ただし排他的にではなく、１以上の無線ユニットから受信された基準信号のループバックバージョンに基づく送信制御情報を決定する装置、方法及びコンピュータプログラムに関する。
【背景技術】
【０００２】
この章では、発明のより良い理解の促進に役立ち得る態様を紹介する。したがって、この章における記載はこの観点で読まれるべきであり、何が先行技術にあるのか、又は何が先行技術にないのかについて自認するものとして理解されるべきではない。
【０００３】
モバイルサービスに対するより高速なデータレートの要求は確実に増している。同時に、第３世代システム（３Ｇ）及び第４世代システム（４Ｇ）のような現代のモバイル通信システムは、改良された技術を供給し、より高いスペクトル効率を可能とし、より高速なデータレート及びセル容量を許容する。ネットワークインフラストラクチャからモバイル送受信機へ伝送するダウンリンク（ＤＬ）及びモバイル送受信からネットワークインフラストラクチャへ伝送するアップリンク（ＵＬ）において、両方向の伝送の需要が増している。
【０００４】
現行のモバイル通信システムは、ますますスモールセル基地局に依存している。スモールセル基地局は、マクロセル基地局が十分なカバレッジ及び容量を提供しない場所をカバーして、ネットワーク効率を向上させるのに使用される。スモールセルは、容量を増大させ、ネットワーク効率を向上させるのに効果的なアプローチとなりそうである。一方で、スモールセルの潜在的な魅力は、設置コストを制御できる場合にのみ実現し得ることが認識されている。スモールセル設置の２つの必要条件は電力及びバックホールであり、有線接続で供給される場合、コストがかかることが多い。電力に関する有線接続は、小さな風力タービン又はソーラーパネルから電力を引き出し、蓄電池を充電すること及び内部消費電力を削減することによって排除することができる。２つめのスモールセル有線接続は、無線バックホールを使用することによってなくすことができる。
【０００５】
内部消費電力を削減するためにリピータ型のスモールセルを使用してもよく、それはダウンリンク上では複素値アナログベースバンド信号をキャリア周波数でバックホールリンクから受信し、ベースバンド信号を１以上のスモールセルユーザに対応するアクセスキャリア周波数で再送信し、アップリンク上では１以上のスモールセルユーザから結合されて送信された信号をアクセスリンク上で受信し、結合されたベースバンド信号をバックホールアップリンク上で再送信する。リピータスモールセルは、主にプリアンプ、周波数変換器、フィルタ及び電力増幅器から構成され、低消費電力に設計され得る。
【０００６】
米国特許出願公開第２０１２／２３８２０２号は、中継局を使用してデータを送信する方法を開示している。その方法は、基地局がバックホールリンクを介してモバイル通信システムの中継局に基準信号を送信することに基づいている。中継局は、受信基準信号に基づいてチャネルパラメータを計算し、上記パラメータを基地局に送信して返す。基地局は、バックホールリンクに関するスケジューリング情報を決定するチャネルパラメータを用いて、中継局にスケジューリング情報を送信する。米国特許出願公開第２００８／２２７４６１号は、基地局及び中継局を備えるモバイル通信システムを開示している。中継局による（データ又はパイロット）の送信に基づいて、基地局は、基地局へのリンク又は（マルチホップ中継のための）他の中継局へのリンクのために中継局によって使用されるべき送信電力の調整を計算する。
【発明の概要】
【０００７】
以下の要約では幾つかの単純化が行われてもよく、様々な例示の実施形態の幾つかの態様を強調して導入することを意図しているが、そのような単純化は、発明の範囲を限定することを意図するものではない。当業者が発明の概念を作成し及び使用できるようにするのに適した望ましい例示の実施形態の詳細な説明は、後節に続く。
【０００８】
種々の実施形態は、ベースバンドユニットとモバイル通信システムの基地局送受信機の１以上の無線ユニットとの間の１以上の無線フロントホールリンクに関する送信制御情報を決定する装置、方法及びコンピュータプログラムを提供する。無線ユニットとモバイル送受信機との間の無線アクセスリンクの品質は連続的に測定及び最適化されることが多いので、無線フロントホールリンクの品質はほぼ一定と見なされ、無視されてもよい。接続を設定するために、ベースバンドユニットと１以上の無線ユニットの間の送信特性の評価が必要とされ得る。１以上の無線ユニットで縮小された機能（及びそれゆえの複雑性及び消費電力）を保持するために、評価は、ベースバンドユニットで行われてもよい。ベースバンドユニットは基準信号を１以上の無線ユニットに送信するように構成され、その無線ユニットは続いて基準信号のループバックバージョンをループバックするように構成される。受信されたループバックバージョンに基づいて、ベースバンドユニットは送信するための経路損失を決定することができ、それを使用して１以上の無線ユニット（及び／又はベースバンドユニット）での無線フロントホールリンクのために使用されるべき送信特性（例えば無線ユニット単位の送信電力）を決定する。
【０００９】
実施形態は、モバイル通信システムの基地局送受信機のベースバンドユニットのための装置を提供する。基地局送受信機は、１以上の無線フロントホールリンクを用いてベースバンドユニットと無線で通信するように構成された１以上の無線ユニットをさらに備える。装置は、１以上の無線フロントホールリンクのダウンリンクコンポーネントを１以上の無線ユニットに送信するように構成された少なくとも１つの出力部を備える。装置は、１以上の無線フロントホールリンクのアップリンクコンポーネントを１以上の無線ユニットから受信するように構成された少なくとも１つの入力部をさらに備える。装置は、少なくとも１つの出力部及び少なくとも１つの入力部を制御するように構成された制御モジュールをさらに備える。制御モジュールはさらに、基準信号を１以上の無線ユニットに少なくとも１つの出力部を介して送信するように構成される。制御モジュールはさらに、基準信号のループバックバージョンを１以上の無線ユニットから少なくとも１つの入力部を介して受信するように構成される。制御モジュールはさらに、基準信号のループバックバージョンに基づいて決定された基準信号の減衰量を用いて、１以上の無線フロントホールリンクにおける送信のために１以上の無線ユニットによって使用される無線ユニット単位の送信電力に関する情報を決定するように構成される。制御モジュールはさらに、無線ユニット単位の送信電力に関する情報を備える送信制御情報を決定するように構成される。制御モジュールはさらに、送信制御情報を１以上の無線ユニットに少なくとも１つの出力部を介して供給するように構成される。送信制御情報をベースバンドユニットにおいて決定することによって、無線フロントホールリンクの確立又は補強のための送信パラメータの校正又は調整が可能となる。無線ユニットは送信制御情報を能動的に決定する必要がなくなり得るので、１以上の無線ユニットから受信される基準信号のループバックバージョンを用いることによって低い複雑性の無線ユニットの配備が可能となり得る。また、１以上の無線フロントホールリンクの測定特性の送信に専用のアップリンク制御チャネルが不要となり得る。
【００１０】
少なくとも幾つかの実施形態では、制御モジュールは、推定干渉及び推定経路損失に基づいて無線ユニット単位の送信電力を決定するように構成され得る。制御モジュールは、基準信号及び基準信号のループバックバージョンに基づいて経路損失を推定するように構成され得る。推定経路損失及び推定干渉に基づいて無線ユニット単位の送信電力を決定することによって、１以上の無線ユニットによって実行される測定を要することなく無線ユニット単位の送信電力の決定が可能となり得る。
【００１１】
種々の実施形態において、制御モジュールは、最適化関数に基づいて無線ユニット単位の送信電力を決定するように構成され得る。制御モジュールは、アップリンクコンポーネントについての目標信号対干渉及びノイズ比（ＳＩＮＲ）が、
【数１】
2019501556.tif 000003
に基づいて近似されるように無線ユニット単位の送信電力を決定するように構成され得る。ＳＩＮＲｔａｒｇｅｔ，ｕはアップリンクコンポーネントについての目標ＳＩＮＲであればよい。
【数２】
2019501556.tif 000004
は、１以上の無線ユニットのうちの無線ユニットｉの無線ユニット単位の送信電力であればよい。
【数３】
2019501556.tif 000005
は、無線ユニットｉのアップリンクコンポーネントの推定経路損失であればよい。ＰＩＦ，ｚ，ＮＦは、アップリンクコンポーネントの干渉電力ＩＦ、熱ノイズｚ及び受信ノイズ指数ＮＦに基づき得る。推定経路損失及び推定干渉の最適関数に基づいて無線ユニット単位の送信電力を決定することによって、１以上の無線ユニットによって実行される測定を要することなく無線ユニット単位の送信電力の決定が可能となり得る。
【００１２】
少なくとも幾つかの実施形態では、基準信号のループバックバージョンは、１以上の無線ユニットにおいて受信された基準信号のアナログ変換値に対応する。無線ユニットは基準信号をデジタル復号して送信制御情報を決定する必要がなくなるので、アナログ変換によって低い複雑性の無線ユニットの配備が可能となる。
【００１３】
種々の実施形態において、制御モジュールはさらに、基準信号及び基準信号のループバックバージョンに基づいて１以上の無線フロントホールリンクの送信のために少なくとも１つの出力部によって使用される送信電力に関する情報を決定するように構成され得る。制御モジュールはさらに、少なくとも１つの出力部において使用される送信電力に関する情報に基づいて少なくとも１つの出力部で１以上の無線フロントホール信号のダウンリンクコンポーネントの送信を適合させるように構成され得る。基準信号及び基準信号のループバックバージョンに基づく適合によって、送信制御情報について決定される情報の再利用が可能となり、出力モジュールの送信の調整が可能となり得る。
【００１４】
種々の実施形態において、制御モジュールは、最適化関数に基づいて１以上の無線フロントホールリンクにおける送信のための少なくとも１つの出力部によって使用される送信電力を決定するように構成され得る。制御モジュールは、ダウンリンクコンポーネントについての目標信号対干渉及びノイズ比（ＳＩＮＲ）が、
【数４】
2019501556.tif 000006
に基づいて近似されるように少なくとも１つの出力部によって使用される送信電力を決定するように構成され得る。ＳＩＮＲｔａｒｇｅｔ，ｄはダウンリンクコンポーネントについての目標ＳＩＮＲである。
【数５】
2019501556.tif 000007
は、１以上の無線ユニットのうちの無線ユニットｉへの送信のために少なくとも１つの出力部によって使用される送信電力である。
【数６】
2019501556.tif 000008
は、無線ユニットｉへの送信についてのダウンリンクコンポーネントの推定経路損失である。ＰＩＦ，ｚ，ＮＦは、ダウンリンクコンポーネントの干渉電力ＩＦ、熱ノイズｚ及び受信ノイズ指数ＮＦに基づくものであればよい。推定経路損失及び推定干渉の最適関数に基づいて少なくとも１つの出力部によって使用される送信電力を決定することによって、１以上の無線ユニットによって実行される測定を要することなく送信電力の決定が可能となり得る。少なくとも１つの出力部によって使用される送信電力は、１以上の無線ユニットへの無線フロントホールリンクについてベースバンドユニットにおける全体消費電力／需要を推定するのにさらに使用され得る。
【００１５】
種々の実施形態では、制御モジュールはさらに、１以上の無線フロントホールリンクにおける送信のために使用される複数のアンテナ要素のうちのアンテナ要素のサブセットに関する情報を決定するように構成され得る。１以上の無線フロントホールリンクにおける送信のために少なくとも１つの出力部によって使用される送信電力に関する情報は、アンテナ要素のサブセットに関する情報を備え得る。１以上の無線フロントホールリンクにおける送信に使用されるアンテナ要素のサブセットを変更することによって、エネルギー消費又は需要の更なる節約が可能となり得る。
【００１６】
少なくとも幾つかの実施形態では、制御モジュールはさらに、基準信号及び基準信号のループバックバージョンに基づいて少なくとも１つの入力部において１以上の無線フロントホール信号のアップリンクコンポーネントの受信に適合するように構成され得る。基準信号及び基準信号のループバックバージョンは、入力部における受信信号の等化を可能とするのにさらに使用され得る。
【００１７】
種々の実施形態では、制御モジュールはさらに、基準信号及び基準信号のループバックバージョンに基づいてアップリンクチャネル推定行列及びダウンリンクチャネル推定行列を決定して送信制御情報を決定するように構成され得る。制御モジュールは、基準信号及び基準信号のループバックバージョンに基づいて結合アップリンク／ダウンリンクチャネル推定行列を決定して送信制御情報を決定するように構成され得る。アップリンク及びダウンリンクチャネルの双方をベースバンドユニットにおいて決定することによって、全体的な計算負荷が減少して複雑でない無線ユニットの配備が可能となり得る。
【００１８】
少なくとも幾つかの実施形態では、制御モジュールは、ダウンリンクコンポーネントの経路損失に基づいて及び基準信号のループバックバージョンにおけるアップリンクコンポーネントの経路損失に基づいて送信制御情報を決定するように構成され得る。経路損失に基づいて送信制御情報を決定することで、経路損失の効果に対抗する無線ユニット単位の送信電力の決定又は調整を支援することができる。
【００１９】
種々の実施形態において、制御モジュールは、受信アップリンクコンポーネントの品質に関する情報を決定するように構成され得る。制御モジュールは、受信アップリンクコンポーネントの品質に関する情報に基づいて送信制御情報を調整するように構成され得る。品質に関する情報に基づいて送信制御情報を調整することによって、例えば、外部条件の変化を考慮して、１以上の無線フロントホールリンクの連続的調整が可能となり得る。
【００２０】
ある実施形態では、送信制御情報は、１以上の無線フロントホールリンクの送信のための電力閾値に関する情報を備え得る。電力閾値は、例えば、統計的に所望の受信電力を達成するのに必要な送信電力についての低域側境界を示すのに使用され得る。
【００２１】
種々の実施形態において、制御モジュールは、送信制御情報を１以上の無線ユニットに個々に供給するように構成されてもよく、これにより個々の無線フロントホールリンクにおけるオーバーヘッドが減少し得る。
【００２２】
少なくとも幾つかの実施形態では、制御モジュールはさらに、１以上の無線ユニットのセルカバレッジ計画に基づいて送信制御情報を決定するように構成され得る。セルカバレッジ計画は、例えば、運用中にリファインされ得る概算初期送信制御情報を決定するのに使用され得る。
【００２３】
種々の実施形態において、制御モジュールは、１以上の無線ユニットで実行される１以上の無線フロントホールリンクのチャネル推定に関する情報を用いることなく送信制御情報を決定するように構成されてもよく、これにより低い複雑性の無線ユニットの配備が可能となり得る。
【００２４】
実施形態はさらに、ベースバンドユニットの装置を備えるベースバンドユニットを提供する。
【００２５】
実施形態はさらに、モバイル通信システムの基地局送受信機の無線ユニットのための装置を提供する。基地局送受信機は、無線フロントホールリンクを用いて無線ユニットと無線通信するベースバンドユニットをさらに備える。装置は、無線フロントホールリンクのダウンリンクコンポーネントをベースバンドユニットから受信するように構成された少なくとも１つの入力部を備える。装置は、無線フロントホールリンクのアップリンクコンポーネントをベースバンドユニットに送信するように構成された少なくとも１つの出力部をさらに備える。装置は、少なくとも１つの入力部及び少なくとも１つの出力部を制御するように構成された制御モジュールをさらに備える。制御モジュールはさらに、基準信号をベースバンドユニットから少なくとも１つの入力部を介して受信するように構成される。装置はさらに、受信された基準信号のループバックバージョンをベースバンドユニットに少なくとも１つの出力部を介してループバックするように構成される。装置はさらに、送信制御情報をベースバンドユニットから受信するように構成される。送信制御情報は、無線フロントホールリンクにおける送信のための無線ユニットによって使用される無線ユニット単位の送信電力に関する情報を備える。制御モジュールはさらに、送信制御情報に基づいて少なくとも１つの出力部を介したアップリンクコンポーネント、例えば、無線ユニットにおけるアップリンク帯域のための送信増幅器の送信電力を適合させるように構成される。送信制御情報をベースバンドユニットにおいて決定することによって、無線フロントホールリンクの確立又は補強のための送信パラメータの校正又は調整が可能となる。無線ユニットは送信制御情報を能動的に決定する必要がなくなり得るので、１以上の無線ユニットから受信される基準信号のループバックバージョンを用いることによって低い複雑性の無線ユニットの配備が可能となり得る。また、１以上の無線フロントホールリンクの測定特性の送信に専用のアップリンク制御チャネルが不要となり得る。
【００２６】
少なくとも幾つかの実施形態では、制御モジュールは、受信された基準信号をアナログ変換することによって、受信された基準信号のループバックバージョンを決定するように構成され得る。無線ユニットは基準信号をデジタル復号して送信制御情報を決定する必要がないので、アナログ変換によって低い複雑性の無線ユニットの配備が可能となる。
【００２７】
種々の実施形態において、ダウンリンクコンポーネントはダウンリンクキャリア周波数を使用し、アップリンクコンポーネントはアップリンクキャリア周波数を使用し得る。制御モジュールは、受信された基準信号をダウンリンクキャリア周波数からアップリンクキャリア周波数にアナログ変換することによって、受信された基準信号のループバックバージョンを決定するように構成され得る。周波数間の変換によって周波数分割複信ネットワークのための送信制御情報のプロビジョニングが可能となり、アップリンク及びダウンリンクコンポーネントは異なる周波数帯を用いる。
【００２８】
実施形態はさらに、無線ユニットのための装置を提供する無線ユニットを提供する。実施形態はさらに、ベースバンドユニットのための装置及び無線ユニットのための装置を備える基地局送受信機を提供する。
【００２９】
実施形態はさらに、モバイル通信システムの基地局送受信機のベースバンドユニットのための方法を提供する。基地局送受信機は、１以上の無線フロントホールリンクを用いてベースバンドユニットと無線で通信するように構成された１以上の無線ユニットをさらに備える。方法は、基準信号を前記１以上の無線ユニットに送信するステップを備える。方法は、基準信号のループバックバージョンを１以上の無線ユニットから受信するステップをさらに備える。方法は、基準信号のループバックバージョンに基づいて決定された基準信号の減衰量を用いて、１以上の無線フロントホールリンクにおける送信のために１以上の無線ユニットによって使用される無線ユニット単位の送信電力に関する情報を決定するステップをさらに備える。方法は、無線ユニット単位の送信電力に関する情報を備える送信制御情報を決定するステップをさらに備える。方法は、送信制御情報を１以上の無線ユニットに供給するステップをさらに備える。
【００３０】
実施形態はさらに、モバイル通信システムの基地局送受信機の無線ユニットのための方法を提供する。基地局送受信機は、無線フロントホールリンクを用いて無線ユニットと無線で通信するベースバンドユニットをさらに備える。方法は、ベースバンドユニットからの基準信号を受信するステップを備える。方法は、受信された基準信号のループバックバージョンをベースバンドユニットにループバックするステップをさらに備える。方法は、バースバンドユニットから送信制御情報を受信するステップをさらに備える。送信制御情報は、無線フロントホールリンクにおける送信のための無線ユニットによって使用される無線ユニット単位の送信電力に関する情報を備える。方法は、送信制御情報に基づいて無線フロントホールリンクの送信のために送信電力を適合させるステップをさらに備える。
【００３１】
実施形態は、そこに具体化されたコンピュータ可読プログラムコードを有するコンピュータ可読媒体を備えるコンピュータプログラム製品をさらに提供し、コンピュータ可読プログラムコードは、コンピュータ、プロセッサ又はプログラム可能なハードウェアコンポーネントに読み込まれると上記方法の１つを実行するように構成される。
【００３２】
また、実施形態は、コンピュータプログラムがコンピュータ、プロセッサ又はプログラム可能なハードウェアコンポーネント上で実行される場合に上記の方法を実行するプログラムコードを有するコンピュータプログラムを提供する。更なる実施形態は、コンピュータ、プロセッサ又はプログラム可能なハードウェアコンポーネントによって実行される場合にコンピュータにここに記載する方法の１つを実行させる命令を記憶したコンピュータ可読記憶媒体である。
【００３３】
幾つかの他の構成又は態様を、以下に述べる装置、方法、コンピュータプログラム又はコンピュータプログラム製品の非限定的な実施形態を例としてのみ用いて、添付図面を参照して説明する。
【図面の簡単な説明】
【００３４】
【図１】図１は、モバイル通信システムの基地局送受信機のベースバンドユニットに関する装置の実施形態のブロック図を示す。
【図２】図２は、無線フロントホールリンクの電力制御に関する制御機構を示す。
【図３】図３は、種々の実施形態の無線フロントホールリンクの電力制御の処理フローを示す。
【図４】図４は、少なくともある実施形態の送信電力の適合を示す。
【図５】図５は、モバイル通信システムの基地局送受信機１００の無線ユニット１２０ａのための装置２０の実施形態のブロック図を示す。
【図６】図６は、モバイル通信システムの基地局送受信機のベースバンドユニットに関する方法の実施形態のフローチャートを示す。
【図７】図７は、モバイル通信システムの基地局送受信機の無線ユニットに関する方法の実施形態のブロック図を示す。
【発明を実施するための形態】
【００３５】
種々の例示の実施形態を、幾つかの例示の実施形態を説明する添付図面を参照してより詳細に説明する。図中では、線、レイヤ又は領域の厚さは見やすくするために強調され得る。選択的コンポーネントを折線、破線及び点線で示す。
【００３６】
したがって、例示の実施形態は種々の変形や代替形式が可能であるが、その実施形態は図中の例として示され、ここに詳細に説明される。一方、例示の実施形態を開示された特定の形式に限定する意図はないことが理解されるべきであり、逆に例示の実施形態は、本発明の範囲内に含まれる全ての変形、均等物及び代替物を包含するものである。図の説明を通して、同様の符号は、同様又は類似の要素について言及する。
【００３７】
ここで使用される場合、用語「ｏｒ」は、特記のない場合（例えば「そうでなければ」又は「又は代替的に」）は、非排他的なｏｒを意味する。さらに、ここで使用される場合、要素間の関係を説明するために使用される単語は、特記のない場合は、直接的関係又は介在要素の存在を含むように広く解釈されるべきである。例えば、要素が他の要素に「ｃｏｎｎｅｃｔｅｄ」又は「ｃｏｕｐｌｅｄ」という場合には、それは他の要素に直接接続又は結合されてもよいし、介在要素が存在する場合もあり得る。これに対し、要素が他の要素に「ｄｉｒｅｃｔｌｙ  ｃｏｎｎｅｃｔｅｄ」又は「ｄｉｒｅｃｔｌｙ  ｃｏｕｐｌｅｄ」という場合には、介在要素は存在しない。同様に、「ｂｅｔｗｅｅｎ」、「ａｄｊａｃｅｎｔ」などの単語も同じように解釈されるべきである。
【００３８】
ここで使用される用語は、特定の実施形態を説明するにすぎず、例示の実施形態の限定を意図するものではない。ここで使用される場合、単数形の「ａ」、「ａｎ」及び「ｔｈｅ」は、文脈が明確に示さない限り、複数形も同様に含むことを意図する。用語の「ｃｏｍｐｒｉｓｅｓ」、「ｃｏｍｐｒｉｓｉｎｇ」、「ｉｎｃｌｕｄｅｓ」又は「ｉｎｃｌｕｄｉｎｇ」は、ここで使用される場合は、記述した構成、整数、工程、動作、要素又はコンポーネントの存在を特定するが、他の１以上の構成、整数、工程、動作、要素、コンポーネント若しくはそれらのグループの存在又は追加を排除しないこともさらに理解されるはずである。
【００３９】
特に明記しない限り、ここで使用される（技術的及び科学的用語も含めて）全ての用語は、例示の実施形態が属する当業者によって一般的に理解されるものと同じ意味を有する。さらに、例えば一般的に使用される辞書に定義される用語は、ここにそのように明示されない限り、関連する技術の文脈における意味と一致する意味を有するように解釈されるべきであり、理想化された、又は過度に形式的な意味で解釈されることはないことも理解されるはずである。
【００４０】
高密度のスモールセルネットワークを容易に配備するために、スモールセルをモバイル通信システムに無線で接続することが有益となり得る。ポイントツーマルチポイント（Ｐ２ＭＰ）対応の大規模多入力多出力（ＭＭＩＭＯ）システムは、低複雑性、低機能性、低コスト及び低エネルギーの無線ユニット（又はスモールセル、例えばスモールセルキューブＳＣＣであり、図１の説明に紹介される１以上の無線ユニット１２０の無線ユニットに対応し得る）を簡単に配備するように（ＭＭＩＭＯハブ基地局を介して）フロントホーリングすることができ、その無線ユニットは単にＲＦシフタとして働き、ＭＭＩＭＯマルチユーザビーム形成を介して信号を受信し、それを通常のスモールセル動作でエンドユーザにアクセスして転送し得る。更なる周波数分割複信（ＦＤＤ）スモールセルに関する複雑さの低減のために、ＭＭＩＭＯ動作はＦＤＤにおいて実行され得る。これにはダウンリンク／アップリンクチャネル行列推定の結合が含まれ得る。
【００４１】
ＳＣＣは固定であり一度配備されれば移動されないが、そのようなシステムで生じ得る技術的問題はスモールセル配備の遠近問題である。アプリケーションをフロントホーリングするために、フロントホールは厳しいＳＩＮＲ必要条件を満たさなくてはならず、それは送信電力、したがって（とりわけ）エネルギー消費についての労力を増加させ得る。（距離に依存した）経路損失によって、スモールセルキューブ（例えば後段に導入される１以上の無線ユニット１２０の無線ユニット）は、ＳＩＮＲｍｉｎ必要条件（最小信号対干渉及びノイズ比）を満たすこともあるが、追加の措置なしでは、他のＳＣＣが（例えば後段に導入されるベースバンドユニット１１０のＭＭＩＭＯアレイの近くに配置されて）経路損失が減少するために能力以上に成果をもたらし、ハブ受信機を酷使し、又はそのダイナミックレンジを減少させ得る。さらに、例えば（サービングされるべきユーザがいない）ネットワーク上の理由によるＳＣＣのダイナミックスイッチオン／オフに関して、ハブの送信電力が稼働中の全てのＳＣＣに分割され得るため、ハブの電力値はエネルギー節約するように適合され得る。
【００４２】
従来の解決策として使用される（受信機が送信機に適合されるべき電力レベル及び任意のパラメータをシグナリングする）閉ループ電力制御は、幾つかの理由で適用可能でないこともあり、例えばそれは、ハブからＳＣＣへの（低エフォート）制御チャネルが許容可能であり、又は必要ともなり得るが、ＳＣＣが低複雑性のものでなくてはならず、ＳＣＣ（１以上の無線ユニット１２０）からハブ（例えば図１の説明で紹介されるベースバンドユニット１１０）への制御チャネルが現実的でないからである。さらに、固定配置されたＳＣＣによって、閉ループの電力制御を省略することが可能となり得る。
【００４３】
実施形態は、ハブ全体、（ＭＩＭＯアプリケーションでは通常の）アンテナ単位のハブ、無線ユニット単位（例えばインフラストラクチャ要素のＳＣＣ）及びＳＣＣの消費電力の主要な要因の一つとなり得るＳＣＣからハブへの送信電力の送信電力レベル（フロントホール送信（ＴＸ）増幅器適合）をどのように設定するかを決定することができる。
【００４４】
ＦＤＤフロントホールＭＭＩＭＯシステムでは、チャネル推定段階が使用され得る。システムは、Ｍ本のアンテナを有する（例えばベースバンドユニット１１０での）ＭＭＩＭＯハブ及びＫ個のスモールセル（例えば１以上の無線ユニット１２０）からなり、ここではスモールセルキューブＳＣＣと呼ばれ、ＭＭＩＭＯハブを介してマルチビームフロントホーリングされ得る。チャネルの知識は、トレーニング段階で取得され得る。フロントホールリンクとは、ハブ（ベースバンドユニット）と基地局送受信機のＳＣＣ（１以上の無線ユニット）との間のリンクを示す。
【００４５】
まず、ある時点においてＫ個のＳＣＣをループバック（ループ・ループ）モードにすると、ハブから受信した信号を単純に反射することができる。ハブは、ＳＣＣによって反射されてハブによって受信され得るトレーニングシーケンス（例えば後述の基準信号）を送信することができる。この（アップリンクチャネル及びダウンリンクチャネルによって（例えばＦＤＤの異なる周波数上で）影響を受ける）トレーニングシーケンスから、アップリンク（ＵＬ）チャネル行列及び／又はダウンリンク（ＤＬ）チャネル行列が（例えば、まずトレーニングシーケンス相関からＭ×Ｍ行列を導出し、次に関連するアップリンク行列を推定し、それにより全体の位相項までダウンリンク行列を定義することによって）推定され得る。従来のシステムは、ＵＬ行列を推定するようにＳＣＣを直交的態様でオーバーレイすることもあり、ＳＣＣ側における追加の労力（例えば信号のある種の直交化、例えばアナログ領域におけるウォルシュ符号との乗算）が必要となる。
【００４６】
ここで、ハブ（例えば全体、無線ユニット単位、アンテナ単位）及びＳＣＣの送信電力は、別個の条件に従って、主に特定の異なるＳＣＣ位置のフロントホール経路損失によってもたらされる変形を伴って適合され得る。
【００４７】
実施形態の基本的な考え方は、電力制御に必要なデータの取得、送信制御情報を導出するデータの処理、及びこの送信制御情報をシステムに適用する手順に対処することができる。
【００４８】
少なくともある実施形態では以下を実行し得る：
・例えばハブとＳＣＣの間の順次のループ・ループ校正／トレーニング測定
・簡潔に上記したＦＤＤ結合ＵＬ／ＤＬチャネル行列推定
・送信制御情報として作用し得る初期ハブ送信電力、ＳＣＣ送信電力及びＲＦハードウェアパラメータ（例えば利得）の導出／推定
・ＵＬ及びＤＬにおいて同じ経路損失として、導出されるＵＬ／ＤＬチャネル行列からの経路損失の算出：
【数７】
2019501556.tif 000009
・（例えばノイズ及び干渉の追加のシステムの知識／推定を使用する）経路損失に基づくダウンリンクＳＩＮＲの推定
・無線ユニットｉへのビームについてハブが必要とする送信電力のＳＩＮＲに基づく算出−それによりＳＣＣではＳＩＮＲを等化する。詳細を後述するように、ハブの送信電力はデジタル領域及びアナログ領域において無線ユニット単位に適合され得る。
・新規のハブの送信電力設定を採用する（デジタル及びアナログ送信電力値を結合して適合する）
・（ダウンリンク経路損失と同様となり得る）アップリンク経路損失及びＳＣＣの既知の送信電力から、ハブの既知のノイズ及び干渉を用いて、特定のＳＣＣからハブへの必要な送信電力が算出され得る。このパラメータは、ビーム形成の利得がないトレーニング段階においてのみ、データ内のハブの実際の受信信号を評価することにより検証され得る。
・新規のＳＣＣ送信電力設定を（例えばＳＣＣへの低エフォートシグナリング／トレーニングフレームを使用することによって）ＳＣＣからハブへのフロントホール接続を保持するのに必要とされる少なくとも必要なＳＣＣ送信電力に採用する。エネルギーを節約し例えばＳＣＣのエネルギーオータキック動作をサポートするために、特にＴＸ電力増幅器送信電力及びそれによる（例えば供給電圧適合による）消費電力を適合することが可能となり得る。ハブ電力適合とは対照的に、ＳＣＣのフロントホール送信電力の低減は、適合された特定のＳＣＣのフロントホールリンクにのみ影響し得る。
・配備されたＳＣＣのセル計画を考慮して、ＳＣＣアクセスＴＸ電力（ＳＣＣセルサイズ）及びそれによるアクセスＴＸ電力増幅器の消費電力が適合されてもよく、それもまたＳＣＣ全体の消費電力に影響を及ぼし得る。これは、ＳＣＣを配備するときに手動で、又は現場でのループ・ループ校正段階中に適切なシグナリングを使用して後から適応的に、事前に定義してもよい。ＴＸアクセス電力適合は、フロントホール電力適合と比較してより少ない頻度で実行されてもよい（例えば配備時、夜間−昼間など）。
【００４９】
実施形態では、無線フロントホールリンクの電力制御をする制御メカニズムが採用され得る。図２において、破線の四角２００２は、システム機能に追加され得る電力制御のコンポーネントを示す。パイロット信号（例えば後段に導入される基準信号）は、ブロック２００４で生成され、及びステップ２００６でＭＭＩＭＯ送受信機（ＴＲＸ、例えばベースバンドユニット１１０）によって、モバイル送受信機／端末２０００にサービングするＳＣＣ（例えば１以上の無線ユニット１２０）に送信される。ＳＣＣ（又は分散した無線ユニット又は１以上の無線ユニット）は、ステップ２００６でパイロット信号をＭＭＩＭＯ送受信機にループバックする。ブロック２０１０でのアップリンク／ダウンリンク行列の算出は、パイロット信号のループバックバージョンを使用してもよいし、ベースバンドユニット（例えばベースバンドユニット１１０の制御モジュール１６）において算出されてもよく、電力制御はこれらのデータに応じて電力制御パラメータ（すなわち、出力部１２によって使用されるべき送信電力に対応し得る無線ユニット単位のハブ送信電力
【数８】
2019501556.tif 000010
及び後段に導入される無線ユニット単位の送信電力に対応する個々のＳＣＣの送信電力
【数９】
2019501556.tif 000011
）を算出してもよい。これらの値を算出するブロック２０１２並びに（上記の方法で示すように全てのＳＣＣが接続されていることを確認し得る）適切なハブ及びＳＣＣ電力レベル、ベースバンドユニットのパラメータ（例えばアナログ利得／減衰値）、決定された適切なプリコーディング行列の無線ユニット単位電力スケーリング行列を選択するブロック２０１４についてベースバンドユニットにおいて設定され得る後続の方法の後に、各ＳＣＣに対する電力スケーリング係数がブロック２０１６でそれぞれのＳＣＣ１２０に送信され得る。これは、ダウンリンク制御チャネル−例えばＳＣＣに対するトレーニング段階シグナリング、例えば後段に導入される無線フロントホールリンクのダウンリンクコンポーネントに使用される既存のチャネルにおける値の明示的なシグナリングを介して実行され得る。
【００５０】
図１にモバイル通信システム３００の基地局送受信機１００のベースバンドユニット１１０に関する装置１０の実施形態のブロック図を示す。基地局送受信１００は、１以上の無線フロントホールリンクを使用してベースバンドユニット１１０と無線通信するように構成された１以上の無線ユニット１２０をさらに備える。
【００５１】
基地局送受信機、例えば基地局送受信機１００は、１以上の稼働中のモバイル送受信機、及び他の基地局送受信機、例えばマクロセル基地局送受信機若しくはスモールセル基地局送受信機のカバレッジエリア内に位置しているか、重複しているか又は近接している基地局と通信するように動作可能となる。したがって、実施形態は、１以上のモバイル送受信機及び１以上の基地局送受信機を備えるモバイル通信システムを提供することができ、基地局送受信機はマクロセル又は例えばピコセル、メトロセル若しくはフェムトセルのようなスモールセル及び周波数シフタ又はリピータの類を確立することができる。モバイル送受信機は、スマートフォン、携帯電話、ユーザ機器、無線機器、モバイル、移動局、ラップトップ、ノートブック、パーソナルコンピュータ、携帯情報端末（ＰＤＡ）、ユニバーサルシリアルバス（ＵＳＢ）−スティック、車両、Ｄ２Ｄ通信用モバイルリレー送受信機などに対応し得る。また、モバイル送受信機を、ユーザ機器（ＵＥ）又は３ＧＰＰ専門用語に即してモバイルともいう。
【００５２】
基地局送受信機、例えば基地局送受信機１００は、ネットワーク又はシステムの固定又は静止部に位置し得る。基地局送受信機は、マクロセルに対応してもよいベースバンドユニット１１０及びリモート無線ヘッド、伝送ポイント、アクセスポイント、無線機器、スモールセル、マイクロセル、フェムトセル、メトロセルなどに対応してもよい１以上の無線ユニット１２０を備え得る。基地局送受信機は、無線ベアラ、又は端末／モバイル送受信機と無線アクセスネットワークとの間の無線インターフェースを介した接続を終端するノード／エンティティの論理的コンセプトとして理解される基地局に対応し得る。基地局送受信機は、有線ネットワークの無線インターフェースであってもよく、無線信号をＵＥ又はモバイル送受信機に送信することを可能とする。そのような無線信号は、例えば３ＧＰＰによって標準化され、又は、一般に、上記に列挙したシステムの１以上に即した無線信号に準拠し得る。したがって、基地局送受信機は、ｅＮｏｄｅＢ、基地局送受信機（ＢＴＳ）などに対応し、無線ユニットとベースバンドユニットとにさらに細分化され得る。無線ユニットは、ベースバンドユニットによって提供及び／又は処理された信号に対する位相器又は中継器を含み得る。
【００５３】
モバイル送受信機は、基地局送受信機又はセルに対して関連付けられ、キャンプオンされ、又は登録されることができる。セルという用語は、例えばＮｏｄｅＢ（ＮＢ）、ｅＮｏｄｅＢ（ｅＮＢ）、リモート無線ヘッド、伝送ポイントなどの基地局送受信機によって提供される無線サービスのカバレッジエリアを指す。基地局送受信機は、１以上の周波数レイヤの１以上のセルを動作させ、ある実施形態では、セルはセクタに対応し得る。例えば、セクタは、セクタアンテナを使用して達成され、セクタアンテナは、遠隔ユニット又は基地局送受信機の周囲の角部をカバーする特性を提供することができる。ある実施形態では、基地局送受信機は、例えば、３個又は６個のセルを動作させ、それぞれ１２０度（３個のセルの場合）、６０度（６個のセルの場合）をカバーできる。基地局送受信機は、複数のセクタ化されたアンテナを動作させ得る。以下では、セルは、そのセルを生成する関連の基地局送受信機を意味することもあれば、同様に基地局送受信機は基地局送受信機が生成するセルを意味することもある。
【００５４】
一般に、例えばモバイル通信システムは、第３世代パートナーシッププロジェクト（３ＧＰＰ）−標準移動通信ネットワークの１つに対応し得るものであり、ここでモバイル通信システムという用語は移動通信ネットワークと同義的に使用される。移動又はワイヤレス通信システムは例えば、第５世代システム（５Ｇ）、ロングタームエボリューション（ＬＴＥ）、ＬＴＥアドバンスト（ＬＴＥ−Ａ）、高速パケットアクセス（ＨＳＰＡ）、ユニバーサル電気通信システム（ＵＭＴＳ）若しくはＵＭＴＳ地上無線アクセスネットワーク（ＵＴＲＡＮ）、エボルブドＵＴＲＡＮ（ｅ−ＵＴＲＡＮ）、世界移動体通信システム（ＧＳＭ）若しくはＧＳＭエボリューションのためのエンハンストデータレート（ＥＤＧＥ）ネットワーク、ＧＳＭ／ＥＤＧＥ無線アクセスネットワーク（ＧＥＲＡＮ）又は例えばマイクロ波アクセスのワールドワイド相互運用性（ＷＩＭＡＸ）ネットワークＩＥＥＥ８０２．１６若しくは無線ローカルエリアネットワーク（ＷＬＡＮ）ＩＥＥＥ８０２．１１、一般的には直交周波数分割多重接続（ＯＦＤＭＡ）ネットワーク、時分割多元接続（ＴＤＭＡ）ネットワーク、符号分割多元接続（ＣＤＭＡ）ネットワーク、広帯域ＣＤＭＡ（ＷＣＤＭＡ）ネットワーク、周波数分割多元接続（ＦＤＭＡ）ネットワーク、空間分割多元接続（ＳＤＭＡ）ネットワークなどの、異なる標準を伴う移動通信ネットワークに対応し得る。
【００５５】
少なくともある実施形態では、１以上の無線フロントホールリンクは、ベースバンドユニット１１０と１以上の無線ユニット１２０との間の無線データ接続に対応し得る。無線フロントホールリンクは信号不可知又はアナログであってもよく、それは例えば１以上の無線ユニット１２０によって異なるキャリア周波数においてアナログ領域にシフトされた無線ユニットアクセス信号を含むことを意味する。ある接続は、潜在的に鋭いビーム形成を使用してもよいし、又はコヒーレントな重ね合わせ（例えば大規模ＭＩＭＯ）に応じてそれぞれの無線ユニットにそれぞれの信号を送達してもよい。
【００５６】
無線フロントホールリンクは、例えば周波数分割複信（ＦＤＤ）又は時間分割複信（ＴＤＤ）を使用して実現され得る。それらは、ベースバンドユニット１１０から１以上の無線ユニット１２０へのダウンリンクコンポーネント及び１以上の無線ユニット１２０からベースバンドユニット１１０へのアップリンクコンポーネントを備え得る。ＦＤＤでの実現においては、アップリンクコンポーネント及びダウンリンクコンポーネントは、異なるキャリア周波数に基づき得る。ＴＤＤでの実現においては、アップリンクコンポーネント及びダウンリンクコンポーネントは同一のキャリア周波数上で異なる時間リソースを使用し得る。相互作用により、ＴＤＤモードにおけるチャネル推定は１方向に実行され、他方に使用される。相互作用は、ＴＤＤモードのスイッチング時間が無線チャネルのコヒーレンス時間と同じか又は短い場合に適用される。
【００５７】
装置１０は、１以上の無線ユニット１２０に１以上の無線フロントホールリンクのダウンリンクコンポーネントを送信するように構成された少なくとも１つの出力部１２を備える。出力部、例えば少なくとも１つの出力部１２又は後段に導入される少なくとも１つの出力部２４は、特定のコード又はプロトコルに従って、モジュール内、モジュール間又は別個のエンティティのモジュール間にデジタル（ビット）値として表され得る送信情報に対するインターフェースに対応していてもよい。少なくともある実施形態では、少なくとも１つの出力部１２；２４は、大規模ＭＩＭＯ（ＭＭＩＭＯ）モジュールを備えていてもよく、それに対応していてもよく、それを介して通信してもよく、それはアンテナアレイを備えていてもよい。
【００５８】
装置１０は、１以上の無線ユニット１２０から１以上の無線フロントホールリンクのアップリンクコンポーネントを受信するように構成された少なくとも１つの入力部１４をさらに備える。入力部、例えば少なくとも１つの入力部１４又は後段に導入される少なくとも１つの入力部２２は、特定のコードに従って、モジュール内、モジュール間又は別個のエンティティのモジュール間にデジタル（ビット）値として表され得る受信情報に対するインターフェースに対応していてもよい。少なくともある実施形態では、少なくとも１つの入力部１４；２２は、大規模ＭＩＭＯ（ＭＭＩＭＯ）モジュールを備えていてもよく、それに対応していてもよく、それを介して通信してもよく、又はそれはアンテナアレイを備えていてもよい。
【００５９】
装置１０は、少なくとも１つの出力部１２及び少なくとも１つの入力部１４を制御するように構成された制御モジュール１６をさらに備える。制御モジュール１６は、１以上の無線ユニット１２０に少なくとも１つの出力部１２を介して基準信号を送信するようにさらに構成される。少なくともある実施形態では、基準信号は、一連の既知の振幅において既知の、所定の又は識別可能なシンボルを備えていてもよく、（無線）チャネル、例えば１以上の無線フロントホールリンクの無線チャネルの特性を決定するようなチャネルのインパルス応答を識別するのに使用されてもよい。
【００６０】
制御モジュール１６は、１以上の無線ユニット１２０から少なくとも１つの入力部１４を介して基準信号のループバックバージョンを受信するようにさらに構成される。基準信号のループバックバージョンは、例えば１以上の無線ユニットで受信された基準信号のアナログ変換値に対応し得る。基準信号のループバックバージョンは、ループバック信号のアナログ的に変換された（例えば周波数シフトされた）バージョンに対応し得る。それは、基準信号上のダウンリンクコンポーネント及びアップリンクコンポーネントの影響、例えば基準信号のループバックバージョンに見られるような基準信号の減衰をさらに反映し得る。基準信号のループバックバージョンは、例えば基準信号の反映された又はループバックされたバージョン（例えばループ・ループ）に対応し得る。
【００６１】
制御モジュール１６は、基準信号のループバックバージョンに基づいて決定された基準信号の減衰を使用して、１以上の無線フロントホールリンク上での送信のために１以上の無線ユニット１２０で使用されるべき無線ユニット単位の送信電力に関連する情報を決定するようにさらに構成される。制御モジュール１６は、無線ユニット単位の送信電力に関連する情報を含む送信制御情報を決定するようにさらに構成される。少なくともある実施形態では、送信制御情報は、無線ユニット単位の送信電力、例えば供給電圧を達成するような１以上の無線ユニットの増幅器の調整に関連する情報を含み得る。これにより、増幅器が増加した効率又はピーク効率で動作するため、電力効率が増加し得る。例示の実施態様では、制御モジュール１６は、決定された無線ユニット単位の送信電力に基づく増幅器の調整に関連する情報を参照するように構成されてもよい。増幅器の調整に関連する情報は、増幅器供給電圧の変動によってもたらされる増幅器の増幅の変動にさらに基づいていてもよい。
【００６２】
制御モジュール１６は、例えばダウンリンクコンポーネントの経路損失に基づいて、及び基準信号のループバックバージョンにおけるアップリンクコンポーネントの経路損失に基づいて、送信制御情報を決定するように構成されてもよい。制御モジュール１６は、例えば推定された干渉及び推定された経路損失に基づいて無線ユニット単位の送信電力を決定するように構成されてもよい。制御モジュール１６は、基準信号及び基準信号のループバックバージョンに基づいて経路損失を推定するように構成されてもよい。制御モジュール１６は、例えば受信基準信号のループバックバージョンの振幅を使用し、基準信号の元の振幅と比較して減衰／経路損失を計算又は推測してもよい。
【００６３】
例示の実施態様では、制御モジュール１６は、最適化関数に基づいて無線ユニット単位の送信電力を決定するように構成されてもよい。制御モジュール１６は、例えばアップリンクコンポーネントに対する目標信号対干渉及びノイズ比ＳＩＮＲが
【数１０】
2019501556.tif 000012
に基づいて近似されるような無線ユニット単位の送信電力を決定するように構成されてもよい。ＳＩＮＲｔａｒｇｅｔ，ｕはアップリンクコンポーネントに対する目標ＳＩＮＲを示し、
【数１１】
2019501556.tif 000013
は１以上の無線ユニット１２０の無線ユニットｉの無線ユニット単位の送信電力を示し、
【数１２】
2019501556.tif 000014
は無線ユニットｉのアップリンクコンポーネントの推定された経路損失である。ＰＩＦ，ｚ，ＮＦは、アップリンクコンポーネントの干渉電力（ＩＦ）、熱ノイズ（ｚ）及び受信ノイズ指数（ＮＦ）に基づき得る。
【００６４】
種々の実施態様では、制御モジュール１６は、送信制御情報を決定するための基準信号及び基準信号のループバックバージョンに基づいて、アップリンクチャネル推定行列及びダウンリンクチャネル推定行列を決定するように構成されてもよい。代替的に又は追加的に、その制御モジュール１６は、送信制御情報を決定するための基準信号及び基準信号のループバックバージョンに基づいて、結合されたアップリンク／ダウンリンクチャネル推定行列を決定するように構成されてもよい。
【００６５】
種々の実施形態では、制御モジュール１６は、１以上の無線ユニット１２０のセルカバレッジプランに基づいて送信制御情報を決定するようにさらに構成されてもよい。例えば制御モジュール１６は、例えばセルカバレッジプランに基づく１以上の無線ユニット１２０とベースバンドユニット１１０との距離に基づいて推定された無線ユニット単位の送信電力を算出するように構成されてもよいし、基準信号及び基準信号のループバックバージョンに基づいて推定された無線ユニット単位の送信電力を調整してもよい。
【００６６】
好ましい実施形態では、制御モジュール１６は、１以上の無線ユニット１２０で実行される１以上の無線フロントホールリンクのチャネル推定に関連する情報を使用せずに、送信制御情報を決定するように構成されてもよい。制御モジュール１６は、１以上の無線ユニット１２０が単に基準信号をループバックする（及び例えば周波数シフトする）間に、例えば１以上の無線ユニット１２０に対する送信制御情報を決定するように構成されてもよい。
【００６７】
少なくともある実施形態では、制御モジュール１６は、受信アップリンクコンポーネントの品質に関連する情報を決定するように構成されてもよい。制御モジュール１６は、受信したアップリンクコンポーネントの品質に関連する情報に基づいて送信制御情報を調整するように構成されてもよい。制御モジュール１６は、例えば受信アップリンクコンポーネントの解析によって、例えば予め決定された送信制御情報の結果を所望の結果、例えば所望のＳＩＮＲと比較するように構成されてもよく、その結果送信制御情報、例えば無線ユニット単位の送信電力を所望の結果を達成するように調整してもよい。
【００６８】
少なくともある実施形態では、送信制御情報は、１以上の無線フロントホールリンクの送信に対する電力閾値に関連する情報を備えていてもよい。電力閾値に関連する情報は、所望のメトリック、例えば所望のＳＩＮＲ又は受信電力に基づいた無線ユニット単位の送信電力に対する予測下限値に対応してもよい。
【００６９】
制御モジュール１６は、少なくとも１つの出力部１２を介して１以上の無線ユニット１２０に送信制御情報を提供するようにさらに構成される。制御モジュール１６は、例えば１以上の無線フロントホールリンクに備えられた制御チャネルを使用して１以上の無線ユニット１２０に送信制御情報を提供してもよく、送信制御情報はペイロードデータ内部若しくはペイロードデータ間に備えられてもよいし、又は更なる制御チャネルを使用して搬送されてもよい。
【００７０】
実施形態では制御モジュール１６及び後段に導入される制御モジュール２６は、１以上の処理ユニット、１以上の処理デバイス、プロセッサ、コンピュータ又は適合するソフトウェアによって動作可能なプログラム可能なハードウェアコンポーネントなどの任意の処理手段を使用して実現され得る。言い換えると、説明した制御モジュール１６；２６の機能は、ソフトウェアでも実現され、そして１以上のプログラム可能なハードウェアコンポーネント上で実行される。そのようなハードウェアコンポーネントは、汎用プロセッサ、デジタル信号プロセッサ（ＤＳＰ）、マイクロコントローラなどを備え得る。
【００７１】
少なくともある実施形態では、制御モジュール１６は、基準信号及び基準信号のループバックバージョンに基づいて１以上の無線フロントホールリンク上で送信するための少なくとも１つの出力部１２によって使用されるべき送信電力に関連する情報を決定するようにさらに構成されてもよい。制御モジュール１６は、少なくとも１つの出力部１２で使用されるべき送信電力に関連する情報に基づいて少なくとも１つの出力部１２で１以上のフロントホール信号のダウンリンクコンポーネントの送信を適合するようにさらに構成されてもよい。制御モジュール１６は、例えば１以上の無線ユニット１２０で所望のＳＩＮＲを達成するか又は１以上の無線フロントホールリンクの電力を受信するように、少なくとも１つの出力部１２によって使用される送信電力を調整するように構成されてもよい。種々の実施形態では、送信の適合には、無線ユニット単位のサブアンテナ成分の重み付けの適合又はハードウェアレベルの調整、例えば送信コンポーネントの減衰器の調整が含まれていてもよい。少なくともある実施形態では、例えばバックオフを増加させて（かつ効率を低下させて）動作するのではなく増幅器を増加した効率で動作させるために、例えば増幅器の供給電圧が減少されてもよい。少なくともある実施形態では、送信の適合には、（無線ユニットが不活性化するか又は全体に必要とされる送信電力が低減される場合に）アンテナコンポーネント又はパスを不活性化することがさらに含まれていてもよい。不活性化されたパスの変換部の消費電力が省かれるので、活性化されたアンテナコンポーネント及びパスは増加した効率で動作することができる。それによりアンテナコンポーネント又はサブアンテナの数が減少するので、その減少の影響をさらに計算して必要条件と比較することができる。
【００７２】
種々の実施形態では、制御モジュール１６は、最適化機能に基づいて１以上の無線フロントホールリンク上で送信するための少なくとも１つの出力部１２によって使用されるべき送信電力を決定するように構成されてもよい。例えば制御モジュール１６は、ダウンリンクコンポーネントに対する目標信号対干渉及びノイズ比ＳＩＮＲが
【数１３】
2019501556.tif 000015
に基づいて近似されるような少なくとも１つの出力部１２によって使用されるべき送信電力を決定するように構成されてもよい。ＳＩＮＲｔａｒｇｅｔ，ｄはダウンリンクコンポーネントに対する目標ＳＩＮＲであり、
【数１４】
2019501556.tif 000016
は１以上の無線ユニット１２０の無線ユニットｉへの送信のために少なくとも１つの出力部１２によって使用されるべき送信電力であり、
【数１５】
2019501556.tif 000017
は無線ユニットｉに送信するダウンリンクコンポーネントの推定された経路損失である。ＰＩＦ，ｚ，ＮＦは、ダウンリンクコンポーネントの干渉電力（ＩＦ）、熱ノイズ（ｚ）及び受信ノイズ指数（ＮＦ）に基づき得る。
【００７３】
種々の実施形態では、制御モジュール１６は、１以上の無線フロントホールリンク上で送信するために使用されるべき複数のアンテナ要素のアンテナ要素のサブセットに関連する情報を決定するようにさらに構成されてもよい。１以上の無線フロントホールリンク上で送信するために少なくとも１つの出力部１２で使用されるべき送信電力に関連する情報には、アンテナ要素のサブセットに関連する情報が含まれる。複数のアンテナ要素は、例えば多入力多出力（ＭＩＭＯ）アンテナモジュールに備えられていてもよいし、例えば大規模ＭＩＭＯ、例えば非常に多数のアンテナ要素を有するＭＩＭＯに使用されてもよい。複数のアンテナ要素は、例えばビーム形成に使用されてもよいし、１以上の無線フロントホールリンクはそのようなビーム形成によって空間的に分離されてもよい。アンテナ要素のサブセットは、例えば１以上の無線フロントホールリンクの、その時点で稼働中の無線フロントホールリンクを維持するために使用されるべきアンテナ要素に対応していてもよい。制御モジュール１６は、例えばその時点で活性化されている無線フロントホールリンクを維持しながら関連する変換部を不活性化することにより、サブセット中のアンテナ要素数を減少させてアンテナモジュールの消費エネルギー又は需要をさらに低減するように構成されてもよい。
【００７４】
少なくともある実施形態では、制御モジュール１６は、基準信号及び基準信号のループバックバージョンに基づいて少なくとも１つの入力部１４での１以上の無線フロントホール信号のアップリンクコンポーネントの受信を適合するようにさらに構成されてもよい。制御モジュール１６は、例えば送信によって生じる歪を説明するために、例えば基準信号及び基準信号のループバックバージョンに基づいて受信したアップリンクコンポーネントの等化を調整するように構成されてもよい。
【００７５】
図３に、種々の実施形態に対する無線フロントホールリンクの電力制御の処理フローを示す。例示の実施形態では、ハブアンテナの送信電力及びＳＣＣの送信電力の算出は、以下を備え得る。
【００７６】
無線ユニット（例えば１以上の無線ユニット１２０）への経路損失（ＰＬ）を推定するブロック３００２（アップリンクの経路損失（ＰＬｕ）及びダウンリンクの経路損失（ＰＬｄ）は略等しく、例えば、
【数１６】
2019501556.tif 000018
とする）。経路損失は、ハブ（例えばベースバンドユニット１１０）アンテナでの送信電力
【数１７】
2019501556.tif 000019
及びハブでの無線ユニットｉからの受信電力
【数１８】
2019501556.tif 000020
から推定され得る。
【数１９】
2019501556.tif 000021
は、アンテナ単位の受信信号から、若しくは無線ユニットｉ単位のトレーニング段階中に得られるＭ×Ｍ行列又はそこから導出されるアップリンク及びダウンリンクチャネル係数行列ｈｕ、ｈｄから推定されてもよい。図３に、Ｍ×Ｍ結合チャネル行列を算出するブロック３００４、ダウンリンクチャネル係数ｈｄを算出するブロック３００６及びアップリンクチャネル係数ｈｕを算出するブロック３００８をさらに示す。
【００７７】
各無線ユニットに対して、少なくともＳＩＮＲｍｉｎであるＳＩＮＲが達成され得る。送信電力は、ＳＩＮＲ必要条件の過剰な達成が制限されるような方法で適合され得る。無線ユニット単位で必要な送信電力は、経路損失に応じて変化し、同様に主にハブまでの距離に応じて変化し得る。送信電力は、サービングする無線ユニット数に応じて変化することもあり、そのため無線ユニットが電力低下する場合はハブの送信電力が低減され得る。
【００７８】
無線ユニットｉへの経路損失はＰＬｄｉで示され、無線ユニットｉへの信号において送信される送信電力の一部−アレイ／送信スキームゲインを含む−は、
【数２０】
2019501556.tif 000022
である（例えば最初の等しい分割を想定して、
【数２１】
2019501556.tif 000023
となる）。ブロック３０１０で、ＳＣＣｉでのハブからの受信電力及びＳＩＮＲは、
【数２２】
2019501556.tif 000024
を用いて推定され得る。
【００７９】
ＳＩＮＲは、ブロック３０１０でシステムに応じて幾つかの方法で推定され得る。他の無線ユニットからの干渉はないもの（例えば完全なゼロ強制）とすると、ブロック３０１２でＳＩＮＲは、例えば隣接帯域（所与の電力レベルで４５ｄＢの隣接チャネル漏洩電力比（ＡＣＬＲ））からの熱ノイズ（ｚ）、ＲＸノイズ指数（ＮＦ）及び干渉電力（ＰＩＦ）に応じて、
【数２３】
2019501556.tif 000025
となる。このＳＩＮＲ推定を使用して、ハブ送信電力推定
【数２４】
2019501556.tif 000026
に対する下側境界を計算することができる。そして、この推定は、ブロック３０１４でシステムにおいて若しくは検証のための追加のトレーニング段階において（マージンをもって）テストにかけられてもよいし、又はアクセスリンク品質に対するインジケータが、このようなシステムのリンク障害を検出するメトリックとして使用されてもよい。必要であれば、制御ループとしての小さなステップにおける更なる適合がその後可能となる。
【００８０】
以下に示すように、ハブの送信電力を実際に適合するステップ３０１６（無線ユニット単位の電力制御全体）は、例えば２つの方法：（無線ユニット単位の、また、アンテナ単位の電力適合とともに）送信機のダイナミックレンジ内のアナログ信号スケーリング、及び例えば増幅器の供給電圧又は増幅器の入力における減衰器の値を使用したアナログアンテナ単位の電力の適合（図４）によって実行され得る。電力制御の状態は
【数２５】
2019501556.tif 000027
で表されてもよく、αｊは個々のデジタルスケーリングファクタ、βｉは個々のアナログアンテナ／ＲＦ  Ｔｘスケーリングファクタ、
【数２６】
2019501556.tif 000028
はアンテナ単位の上り送信電力、
【数２７】
2019501556.tif 000029
はＲＦ部が設計されている場合のＲＦ全体の上り送信電力である（増幅器のピーク電力から信号バックオフを引いたものと定義され得る）。制御モジュール１６で構成され得るフロントホール電力制御ブロック４００２は、ブロック４００４で、デジタル電力制御値αｊをＭＭＩＭＯフロントホールデジタル（ベースバンド）処理４００６及びデジタルＲＦ処理４００８に適合するように、及びブロック４０１０でアナログ電力制御値を設定するように設定し、供給電圧をアナログＲＦ処理及びアンテナに信号を供給する増幅器４０１２に適合するようにβｉに基づいて調整し得る。
【００８１】
実施形態では、これらの値を適合するのに幾つかの方法を用いてもよい。記載の通り、第１の例示の実施例では、算出されたＳＣＣ（例えば無線ユニット１２０）全体のＳＩＮＲ／経路損失値から、必要とされるハブの送信電力の平均合計を算出してもよい。そして一般にβｉ＝βは、この電力を達成するように許容下限値に設定され得る。次のステップでは、アンテナ単位の電力制御は、ＳＣＣ間の配電に対応するαｉ値を使用して微調整されてもよい。
【００８２】
同様に、ブロック３０１８では、ハブへの無線ユニットの下り送信電力が算出され得る。無線ユニットｉからの推定アップリンク経路損失
【数２８】
2019501556.tif 000030
を受けて、無線ユニットｉの既知の初期送信電力
【数２９】
2019501556.tif 000031
すなわち目標ＳＩＮＲに対して必要とされる送信電力は、予想される干渉及びノイズ、すなわちハブ受信機の
【数３０】
2019501556.tif 000032
でのＮＦに関して算出され得る。
【００８３】
ハブでのＳＣＣの実際のアップリンク送信電力も、ブロック３０２０で測定されてもよく、ハブ受信機でのＳＩＮＲは、ブロック３０２２で（好ましくはトレーニング段階において）、例えば経路損失全体の推定値ＰＬｕｄ及びハブの既知の送信電力
【数３１】
2019501556.tif 000033
を採用して算出されてもよい。結果として得られた無線ユニット単位の送信電力は、その後にステップ３０２４で無線ユニットに提供され得る。
【００８４】
例示の実施形態では、全体経路損失は、ブロック３００２で：
【数３２】
2019501556.tif 000034
がフロベニウスノルムであるものとして、チャネル行列：
【数３３】
2019501556.tif 000035
から算出されてもよい。
【００８５】
例えば、システムのＭ×Ｍ結合ＵＬ／ＤＬチャネル行列の特異値分解（ＳＶＤ）をとり、無線ユニットｉ：ｈｕｉ、ｈｄｉに対するＵＬ、ＤＬ、Ｍ×Ｋ、Ｋ×Ｍ行列を導出した後に、経路損失は各個の行列から
【数３４】
2019501556.tif 000036
と算出され得る。
【００８６】
一般的には、予測されるＳＩＮＲはブロック３０１０、３０２２で：
ＳＩＮＲ＝Ｐｔｘ／（熱ノイズ＋干渉推定値）×ＰＬｕｄ／２
として算出されてもよい（ここでＰｔｘはハブアンテナ又はＳＣＣのいずれかの送信電力であり、経路損失に伴う各個のリンク及び受信機型からのノイズ＋干渉及びＲＦチェーンの干渉はＵＬ及びＤＬにおいて近似的に等しいものとする）。既知の受信チェーンのノイズ指数は、ＳＩＮＲ算出において考慮され得る。
【００８７】
無線ユニット単位の送信電力（例えば無線ユニットｉへのビームにおける電力）は、ブロック３０１８で：
Ｘ＝Ｇ×ｓはＭ本の各個のアレイアンテナの各々の送信信号のＭ×１行列であり、ＧはＭ×Ｋのプリコーディング行列であり、及び（Ｅ［ｓｓ＊］＝１として）ｓはＫ個のスモールセルへの送信シンボルのＫ×１の単一ベクトルであるものとして算出され得る。
【００８８】
無線ユニット単位の送信電力は：
【数３５】
2019501556.tif 000037
（無線ユニットｉに対する電力制約）として表すことができ（したがって、電力スケーリング係数を適用し）、Ｇｉは無線ユニットｉに対するプリコーティング係数のＫ×１行列（例えば行列Ｇの列要素［ｇ１、ｉ・・・ｇＭ、ｉ］）である。
【００８９】
アンテナ単位の電力制約
【数３６】
2019501556.tif 000038
は、同様に使用されてもよい（
【数３７】
2019501556.tif 000039
はアンテナｍにおける電力制約である）。
【００９０】
無線ユニット単位の送信電力は、
【数３８】
2019501556.tif 000040
を使用して適合され得る。ここで、α／Ｋは、
【数３９】
2019501556.tif 000041
として、無線ユニットＫに対するデジタル電力スケーリング係数である。これにより、Ｋ個のＳＣＣにわたって全体的なハブの送信電力
【数４０】
2019501556.tif 000042
を不均一に分配することが可能となる。全ＳＣＣにフロントホールするのに必要とされるハブの送信電力の最大値が実際のハブの送信電力の最大値を上回りそうな場合、どのＳＣＣをサポートしてどのＳＣＣを切断するかの適切な判断が行われ得る。そのような判断は、例えば各個のＳＣＣのその時点での負荷に基づいてもよいし、若しくは時間経過による既知の負荷に基づいてもよく、又は例えば１つのＳＣＣを切断することで２つ以上のＳＣＣをフロントホールできる場合には、それ以外のＳＣＣは接続されなくてもよい。
【００９１】
【数４１】
2019501556.tif 000043
の項は、デジタル電力スケーリング係数αｉ及び実際のアンテナ単位のアナログ送信電力
【数４２】
2019501556.tif 000044
を併せて適合することによって調整又は増強され得る。アンテナ単位の送信電力
【数４３】
2019501556.tif 000045
は、アンテナ単位の上り電力
【数４４】
2019501556.tif 000046
の電力制御されたバージョンであり、
【数４５】
2019501556.tif 000047
とみられてもよい。アナログ電力制御ファクタβ≦１は、例えばハブのシャドーイングなどの影響を含むようにアンテナ単位で（したがってＲＦ経路、増幅器、減衰器単位で）異なり：
【数４６】
2019501556.tif 000048
であってもよい。ハブ及びＳＣＣにも所望されるエネルギー増強を達成するために、アナログ電力制御ファクタβの調整は、例えばそれぞれの送信電力増幅器の供給電圧及びそれによる消費電力の適切な適合を備えてもよい。
【００９２】
ハブにおいて及び同様にＳＣＣにおいての送信電力の適合及びそれによる消費電力の適合は、ループ・ループ校正に関連して行われてもよく、例えばｍｓ時間枠において、電力増幅器の供給電圧の適応は、例えば予め定義された異なる供給電圧の間を切り替えることにより「相対的に−信号包絡線帯域幅に基づかずに」行われてもよい。これは、特定のＳＣＣと同様に単一ハブアンテナ要素においても実現され得る。電力増幅器の供給電圧の適合に関連する送信電力は、ハブに対して関連するデジタル制御プラットフォームによって直接制御され得る一方で、ＳＣＣに対しては、手動で調整されるか（例えばＳＣＣが位置する場所の情報に基づいて及び関連するキャリブレーション測定値に基づいて可能である）、又は適切なハブ−ＳＣＣシグナリング及びＳＣＣにおける例えばシグナリングに基づいた電気的調整によって最適に調整されるかのいずれかとなり得る。
【００９３】
少なくとも１つの出力部１２及び少なくとも１つの入力部１４は、制御モジュール１６に結合される。
【００９４】
図５に、モバイル通信システム３００の基地局送受信機１００の無線ユニット１２０ａに対する装置２０の実施形態のブロック図を示す。基地局送受信機１００は、無線フロントホールリンクを使用して無線ユニット１２０ａと無線通信するベースバンドユニット１１０をさらに備える。装置２０は、ベースバンドユニット１１０から無線フロントホールリンクのダウンリンクコンポーネントを受信するように構成された少なくとも１つの入力部２２を備える。装置２０は、ベースバンドユニット１１０に無線フロントホールリンクのアップリンクコンポーネントを送信するように構成された少なくとも１つの出力部２４をさらに備える。図１〜４で導入された１以上の無線ユニット１２０は、無線ユニット１２０ａを備え得る。
【００９５】
装置２０は、少なくとも１つの入力部２２及び少なくとも１つの出力部２４を制御するように構成された制御モジュール２６をさらに備える。制御モジュール２６は、ベースバンドユニット１１０から少なくとも１つの入力部２２を介して基準信号を受信するようにさらに構成される。
【００９６】
制御モジュール２６は、受信基準信号のループバックバージョンを少なくとも１つの出力部２４を介してベースバンドユニット１１０にループバックするようにさらに構成される。制御モジュール２６は、例えば受信基準信号をアナログ変換することにより、受信基準信号のループバックバージョンを決定するように構成されていてもよい。ダウンリンクコンポーネントは、例えばダウンリンクキャリア周波数を使用してもよく、アップリンクコンポーネントはアップリンクキャリア周波数を使用してもよい。制御モジュール２６は、例えばベースバンドを介して、受信基準信号をダウンリンクキャリア周波数からアップリンクキャリア周波数にアナログ変換することにより、受信基準信号のループバックバージョンを決定するように構成されてもよい。少なくともある実施形態では、ループバックは、受信基準信号の再送信、受信基準信号の周波数シフトされた再送信、受信基準信号の時間遅延された再送信、受信基準信号の反射、受信基準信号の周波数シフトされた反射、又は受信基準信号の時間遅延された送信に対応し得る。
【００９７】
代替的に又は追加的に、ダウンリンクコンポーネント及びアップリンクコンポーネントは同一のキャリア周波数を使用してもよく、及び制御モジュール２６は例えば受信基準信号を一時的に保存する遅延モジュールを使用して受信基準信号を遅延後のループバックバージョンとして再送信するように構成されていてもよい。
【００９８】
少なくともある実施形態では、制御モジュール１６は、アップリンクコンポーネントのキャリア周波数を使用して、及びダウンリンクコンポーネントのキャリア周波数を使用して基準信号を送信するように構成され得る。制御モジュール２６は、遅延後のループバックバージョンとして、アップリンクコンポーネントのキャリア周波数及びダウンリンクコンポーネントのキャリア周波数上で受信基準信号を再送信するように構成され得る。ループバックバージョンは、アップリンクコンポーネントのキャリア周波数上及びダウンリンクコンポーネントのキャリア周波数上の基準信号のループバックバージョンを含み得る。少なくともある実施形態では、制御モジュール２６は、アップリンクコンポーネントのキャリア周波数上で受信基準信号をアップリンクコンポーネントのキャリア周波数を使用して再送信し、及びダウンリンクコンポーネントのキャリア周波数上で受信基準信号をダウンリンクコンポーネントのキャリア周波数を使用して再送信するように構成され得る。少なくとも１つの入力部１４は、基準信号のループバックバージョンをアップリンクコンポーネントのキャリア周波数上及びダウンリンクコンポーネントのキャリア周波数上で受信するように構成され得る。少なくともある実施形態では、制御モジュール１６は、アップリンクコンポーネントのキャリア周波数上で受信基準信号のループバックバージョンを使用して、アップリンクコンポーネントのキャリア周波数上の基準信号の減衰量に基づいて１以上の無線フロントホールリンク上の送信のために１以上の無線ユニット１２０によって使用されるべき無線ユニット単位の送信電力に関連する情報を決定するように構成され得る。少なくともある実施形態では、制御モジュール１６は、ダウンリンクコンポーネントのキャリア周波数上で受信基準信号のループバックバージョンを使用して、ダウンリンクコンポーネントのキャリア周波数上の基準信号の減衰量に基づいて１以上の無線フロントホールリンク上の送信のために少なくとも１つの出力部１２によって使用されるべき送信電力に関連する情報を決定するように構成され得る。
【００９９】
例示の実施形態では、少なくとも１つの出力部は、少なくとも１つの出力部２４がアップリンクコンポーネント及びダウンリンクコンポーネントの周波数帯上で交互に送信できるように、送信に使用する周波数帯間を切り替えるためのスイッチ並びにマルチバンド電力増幅器を備え得る。例示の実施態様では、少なくとも１つの入力部１４は、アップリンクコンポーネント及びダウンリンクコンポーネントの周波数帯間での信号の受信に使用する周波数帯を切り替えるためのスイッチを備え、したがってアップリンクコンポーネント及びダウンリンクコンポーネントの周波数帯に関するマルチバンド低ノイズ増幅器及びマルチバンドフィルタモジュールを備え得る。アップリンクコンポーネントのキャリア周波数上及びダウンリンクコンポーネントのキャリア周波数上で受信基準信号のループバックバージョンは、ダウンリンクコンポーネント及びアップリンクコンポーネントによって使用される周波数上の基準信号の減衰量を示し得る。
【０１００】
制御モジュール２６は、ベースバンドユニット１１０から送信制御情報を受信するようにさらに構成される。送信制御情報は、無線フロントホールリンク上の送信のために無線ユニット１２０ａによって使用されるべき無線ユニット単位の送信電力に関連する情報を備える。制御モジュール２６は、送信制御情報に基づいて少なくとも１つの出力部２４を介したアップリンクコンポーネントの送信電力を適合するようにさらに構成される。制御モジュール２６は、例えばベースバンドユニット１２０で望ましいＳＩＮＲ若しくは受信電力を達成するように、無線ユニット単位の送信電力に基づいて増幅電力若しくは送信電力を適用するように、及び／又は増幅器、例えば少なくとも１つの出力部２４の増幅器を増加若しくはピーク効率で動作するように構成され得る。種々の実施形態では、送信電力の適合には、サブアンテナの重み付けの適合又はハードウェアレベルの調整、例えば送信コンポーネントの減衰器の調整が含まれ得る。少なくともある実施形態では、例えばバックオフを増加させて（かつ効率を低下させて）動作するのではなく増加した効率で増幅器を動作させるために、例えば少なくとも１つの出力部２４の増幅器の供給電圧が低減されてもよい。種々の実施形態では、制御モジュール２６は、少なくとも１つの入力部２２の受信を送信制御情報に基づいて例えば受信信号を減衰することによって調整するようにさらに構成され得る。これにより、無線ユニットがベースバンドユニットに近く、ベースバンドユニットの送信電力がさらに低減されない場合に引き起こされるジャミング／オーバードライブを減少させ得る。
【０１０１】
少なくとも１つの出力部２２及び少なくとも１つの入力部４４は、制御モジュール２６に結合される。
【０１０２】
装置２０の更なる詳細及び態様（例えば、無線ユニット、ベースバンドユニット、モバイル通信システム、基地局送受信機、無線フロントホールリンク、ダウンリンクコンポーネント、アップリンクコンポーネント、基準信号、基準信号のループバックバージョン、無線ユニット単位の送信電力）は、提案されたコンセプト又は上記の１以上の例（例えば図１〜４）との関連において言及される。装置２０は、提案されたコンセプトの１以上の態様又は上記若しくは下記の１以上の例に対応する１以上の追加の選択的な構成を備え得る。
【０１０３】
図６に、モバイル通信システム３００の基地局送受信機１００のベースバンドユニット１１０の実施形態のブロック図を示す。基地局送受信機１００は、１以上の無線フロントホールリンクを使用してベースバンドユニット１１０と無線通信するように構成された１以上の無線ユニット１２０をさらに備える。方法は、１以上の無線ユニット１２０に基準信号を送信するステップ３２を備える。方法は、１以上の無線ユニット１２０から基準信号のループバックバージョンを受信するステップ３４をさらに備える。方法は、１以上の無線フロントホールリンク上での送信のために１以上の無線ユニット１２０によって使用されるべき無線ユニット単位の送信電力に関連する情報を、基準信号のループバックバージョンに基づいて決定された基準信号の減衰量を用いて決定するステップ３６をさらに備える。方法は、無線ユニット単位の送信電力に関連する情報を含む送信制御情報を決定するステップ３７をさらに備える。方法は、１以上の無線ユニット１２０に送信制御情報を提供するステップ３８をさらに備える。
【０１０４】
図７に、モバイル通信システム３００の基地局送受信機１００の無線ユニット１２０ａに関する方法の実施形態のブロック図を示す。基地局送受信機１００は、無線フロントホールリンクを使用して無線ユニット１２０ａと無線通信するベースバンドユニット１１０をさらに備える。方法は、ベースバンドユニット１１０から基準信号を受信するステップ４２を備える。方法は、ベースバンドユニット１１０に受信基準信号のループバックバージョンをループバックするステップ４４をさらに備える。方法は、ベースバンドユニット１１０から送信制御情報を受信するステップ４６をさらに備える。送信制御情報は、無線フロントホールリンク上での送信のために無線ユニット１２０ａで使用されるべき無線ユニット単位の送信電力に関連した情報を備える。方法は、送信制御情報に基づいて無線フロントホールリンク上での送信のための送信電力を適合するステップ４８をさらに備える。
【０１０５】
ある実施形態は、方法を実施する装置内に設置されたデジタル制御回路を備える。そのようなデジタル制御回路、例えばデジタル信号プロセッサ（ＤＳＰ）は、それに応じてプログラムされる必要がある。したがって、更なる実施形態は、コンピュータプログラムがコンピュータ、デジタルプロセッサ、又はプログラム可能なハードウェアコンポーネント上で実行される場合に、方法の実施形態を実行するプログラムコードを有するコンピュータプログラムも提供する。更なる実施形態は、コンピュータ、プロセッサ、又はプログラム可能なハードウェアコンポーネントによって実行されると、ここに記載された方法の１つをコンピュータに実現させる命令を記憶したコンピュータ可読記憶媒体である。
【０１０６】
当業者は、上述した種々の方法のステップがプログラムされたコンピュータによって実行されることを容易に認識するはずである。ここで、ある実施形態は、プログラム記憶デバイス、例えばデジタルデータ記憶媒体を含むこともまた意図しており、それは、機械又はコンピュータ読取り可能で、機械実行可能又はコンピュータ実行可能な命令のプログラムを符号化し、当該命令は、ここに記載された方法の一部又は全部のステップを実行する。プログラム記憶デバイスは、例えば、デジタルメモリ、磁気ディスク及び磁気テープなどの磁気記録媒体、ハードドライブ又は光学読取可能デジタルデータ記録媒体であり得る。実施形態はまた、ここに記載された方法の当該ステップを実行するようにプログラムされたコンピュータ、又は上に記載された方法の当該ステップを実行するようにプログラムされたプログラム可能な（フィールド）ロジックアレイ（（Ｆ）ＰＬＡ）若しくはプログラム可能な（フィールド）ゲートアレイ（（Ｆ）ＰＧＡ）も含むことを意図している。
【０１０７】
実施形態により、ＭＭＩＭＯハブ及びＳＣＣ送信電力適合が提供され、ハブ及びＳＣＣの消費電力が改善されると同時に、例えば経路損失の低いハブの極近傍に位置されたＳＣＣがハブ及びハブの経路損失の比較的高い他のＳＣＣに対する感度を「ジャミング」することが回避されることになり、極近傍にあるハブのアンテナ単位の送信電力がさらに低減され得ない場合、ハブの極近傍に位置するＳＣＣはそれ自体ジャミングしない。
【０１０８】
説明及び図面は、単に本発明の原理を示すものである。したがって、当業者は、ここに明示的に記載又は図示されないが、本発明の原理を具体化してその精神及び範囲内に含まれる種々の構成を考案できるであろうことが理解されるはずである。さらに、ここで示された全ての例は、主として、当該技術を推進するために発明者（達）によって貢献された発明の原理及び概念を読者が理解することを助けるための教育目的を意図したものであり、そのような具体的に示された例及び条件に限定されるものではないと解釈されるべきである。また、本発明の原理、態様及び実施形態を表現するここに示される全ての記載は、その具体例と同様に、その均等物を含むことが意図されている。
【０１０９】
「・・・のための手段」（特定の機能を実行する）と示される機能ブロックは、それぞれ特定の機能を実行するように又は実行するために適合された回路を備える機能ブロックとして理解されるべきである。したがって、「何かのための手段」も同様に「何かのために適合し、又は何かに適した手段」と理解される。したがって、ある特定の機能を実行するように適合された手段は、そのような手段が必ず（所与の時点で）当該機能を実行していることを意味するものではない。
【０１１０】
図に示された種々の要素の機能は、「手段」、「制御する手段」、「送信する手段」、「受信する手段」、「送受信する手段」、「処理する手段」などと付された任意の機能ブロックを含めて、「コントローラ」、「送信機」、「受信機」、「送受信機」、「プロセッサ」などの専用ハードウェア及び適切なソフトウェアに関連してソフトウェアを実行することが可能なハードウェアの使用を通じて提供され得る。また、ここに「手段」として記載される任意のエンティティは、「１以上のモジュール」、「１以上のデバイス」、「１以上のユニット」などに対応し、又はそれらとして実現され得る。プロセッサにより提供される場合、その機能は、一台の専用プロセッサ、一台の共用プロセッサ、又は一部が共有され得る複数の独立プロセッサによって提供され得る。さらに、用語「プロセッサ」又は「コントローラ」の明示的な使用は、ソフトウェアを実行可能なハードウェアを限定的に指すものとして解釈されるべきでなく、デジタル信号プロセッサ（ＤＳＰ）ハードウェア、ネットワークプロセッサ、特定用途向け集積回路（ＡＳＩＣ）、フィールドプログラム可能ゲートアレイ（ＦＰＧＡ）、ソフトウェアを記憶する読出し専用メモリ（ＲＯＭ）、ランダムアクセスメモリ（ＲＡＭ）及び不揮発性ストレージを、限定なく暗に含み得る。他のハードウェア、従来型又はカスタム型も同様に含まれ得る。それらの機能は、プログラムロジックの動作を通して、専用ロジックを通して、プログラム制御及び専用ロジックの相互作用を通して、又は手動でも、文脈からより具体的に理解されるように実施者によって選択可能な決定の技術によって実行され得る。
【０１１１】
ここにおける任意のブロック図は、本発明の原理を具体化する説明的な回路の概念図を表すことを当業者は理解すべきである。同様に、任意のフローチャート、フロー図、状態変化図、疑似コードなどは、そのようなコンピュータ又はプロセッサが明示的に示されているか否かに関わらず、コンピュータ可読媒体に実質的に表されてコンピュータ又はプロセッサに実行され得る種々のプロセスを表現するものと理解されるべきである。
【０１１２】
さらに、以下の特許請求の範囲は、ここの発明の詳細な説明に組み込まれ、そこでは各請求項が個別の実施形態としてそれ自身で存在する。各請求項は、個別の実施形態としてそれ自身で存在し得ると同時に、従属請求項は請求項の１以上の他の請求項の特有な組合せを参照することができるが、他の実施形態は従属請求項の組合せもそれぞれの従属請求項の主題と共に含み得ることに留意すべきである。そのような組合せは、特定の組合せを意図しないことが明示されない限りここに提案される。さらに、この請求項は直接的に独立請求項に従属しないとしても、請求項の構成もまた任意の他の独立請求項に含まれることが意図される。
【０１１３】
さらに、本明細書又は特許請求の範囲において開示された方法は、これらの方法のそれぞれ各自のステップを実行する手段を有するデバイスによって実現され得ることに留意すべきである。
【図１】
2019501556.tif 000055
【図２】
2019501556.tif 000056
【図３】
2019501556.tif 000057
【図４】
2019501556.tif 000058
【図５】
2019501556.tif 000059
【図６】
2019501556.tif 000060
【図７】
2019501556.tif 000061
【国際調査報告】
2019501556.tif 000062
2019501556.tif 000063